(57)【要約】【課題】  塗料の濾過が各種サイズの塗料缶に適応でき、作業者が濾布の端を押さえる必要がなく、濾過作業が容易で、濾過効率が高い塗料濾過用具を提供する。【解決手段】  外径の異なる二つのリング１１，１２の間に、くの字形に曲折したステー１３を、そのくの字形曲折部１４が上記リング１１，１２の中心に向けて介在させて、上下間隔を開け同心円上に位置するように接続し、上記ステー１３に塗料缶Ｋの縁に嵌る折り曲げ部１６を形成した支持枠１５を取り付け、上記リング１１，１２の表面に無数の突起Ａを形成してなり、上記支持枠１５は塗料缶Ｋの大きさに合わせて伸縮可能にし、また、上記支持枠１５の折り曲げ部１６は裏表で作用するように形成してなる。【選択図】図１
2005053564.tif 000002
【特許請求の範囲】
【請求項１】
外径の異なる二つのリングの間に、くの字形に曲折したステーを、その曲折部を上記リングの中心に向けて介在させて、上記二つのリングを上下に間隔を開け同心円上に位置するように接続し、上記ステーに塗料缶の縁に嵌る折り曲げ部を形成した支持枠を取り付け、上記リングの表面に無数の突起を形成してなる塗料濾過用具。
【請求項２】
上記支持枠は、塗料缶の大きさに合わせて伸縮可能にしてなる請求項１に記載の塗料濾過用具。
【請求項３】
上記支持枠の折り曲げ部は裏表で作用するように形成してなる請求項１または２に記載の塗料濾過用具。
【請求項４】
上記リング表面に設けた無数の突起は、粒状物を混入した塗料の中に上記リングを浸漬し、上記塗料を塗布乾燥してなる請求項１乃至３のいずれかに記載の塗料濾過用具。
【発明の詳細な説明】
【技術分野】
【０００１】
この発明は塗料中に混入した異物、あるいは固化した顔料を除去し、良好な塗装を行うための塗料濾過用具に関する。
【背景技術】
【０００２】
装置を用いて行われる塗装では、塗料中の顔料が固まらないよう常に撹拌・循環させて塗料をフィルターに通して異物や固形分を除去し良好な塗面が得られるようにしている。
【０００３】
ところが、建設現場等では上記のような装置を用いられず手作業で行われ、塗料中の溶剤が蒸発して固化した顔料や異物が塗料中に混在すると、塗装面に上記固形物が表れて良好な仕上がりとならない。
【発明の開示】
【発明が解決しようとする課題】
【０００４】
上記状況のもと、塗装作業を開始する前に塗料を濾過して固化した部分、あるいは異物を除去して塗装作業を行うようにしている。
【０００５】
上記濾過作業に用いる濾過材や濾布は、いわゆる篩形であるため塗装作業で用いる種々の大きさの塗料缶にそれぞれ対応せず不便であり、かつ、濾過面が平面で濾過面積が小さいため直ぐに目詰まりしてしまう問題がある。
【０００６】
また、他の方法としてナイロンやポリエステル繊維を伸縮自在に編織した袋状編み物を塗料缶の口に当てて濾過することも行われているが、この方法では、塗料の重さが上記編み物の濾布にかかり、ずれ落ちる恐れがあるので作業者が塗料缶の両側から押さえなければならず大形の塗料缶では濾布を押さえるものが一人、塗料を注入するものが少なくとも一人必要となり効率的に作業を進める上での障害となっていた。
【０００７】
上記状況に鑑みこの発明は、濾布の支持枠を各種サイズの塗料缶に適応できるようにし、支持枠自身で濾過面積の大きい濾布を支持できるようにして濾過作業を容易にして確実な濾過作業ができる用具を提供することを課題とする。
【課題を解決するための手段】
【０００８】
上記課題を解決するためにこの発明は、外径の異なる二つのリングの間に、くの字形に曲折したステーを、その曲折部を上記リングの中心に向けて介在させて、上記二つのリングを上下に間隔を開け同心円上に位置するように接続し、上記ステーに塗料缶の縁に嵌る折り曲げ部を形成した支持枠を取り付け、上記リングの表面に無数の突起を形成してなり、上記支持枠は塗料缶の大きさに合わせて伸縮可能にし、また、上記支持枠の折り曲げ部は裏表で作用するように形成してなる。
【発明の効果】
【０００９】
上記の如く構成するこの発明によれば、塗料の濾過が各種サイズの塗料缶に適応できるようになり、リングの表面に無数の突起を形成することにより伸縮自在の袋状濾布がリングに絡み付いて外れることがなく、これにより濾布を押さえる作業者が不要になり、濾過面積が大きくなった伸縮自在の袋状濾布により濾過効率がよくなる。
【発明を実施するための最良の形態】
【００１０】
次にこの発明の実施の形態を、図面を参照しながら説明する。図１は、本発明に係る大型の濾布支持枠１０で、上側のリング１１は４ｍｍφのステンレス線（以下同じ）を１９０ｍｍφに、下側のリング１２は１５０ｍｍφにし、上下のリング１１，１２は、くの字形ステー１３で中間（ステーの曲折部１４）から上下に８ｍｍ振り分け間隔をあけて溶接し、くの字形ステー１３の曲折部１４は求心方向を向いている。
【００１１】
上記くの字形ステー１３の曲折部１４には、支持枠１５が取り付けられ、支持枠１５の前後には互いに反対向きの１０ｍｍ間隔のＵ字状曲折部１６が２６０ｍｍの間隔をあけて設けられ、片端にグリップ１７が形成されている。なお、図中、１８は袋状の濾布、１９は濾布１８の開口部である。
【００１２】
図２は、本発明に係る小型の濾布支持枠２０で、上側のリング２１は４ｍｍφのステンレス線（以下同じ）を１１０ｍｍφに、下側のリング２２は１００ｍｍφにし、上下のリング２１と２２は、くの字形ステー２３の曲折部２４から上下に８ｍｍ振り分け間隔をあけて一体になり、くの字形ステー２３の曲折部２４は求心方向を向いている。
【００１３】
上記くの字形ステー２３の曲折部２４には、支持枠２５が取り付けられ、支持枠２５の前後には互いに反対向きの１０ｍｍ間隔のＵ字状曲折部２６が２００〜２６０ｍｍの間隔を調節可能に設けられ、片端にグリップ２７が形成されている。
【００１４】
上記支持枠２５は、図４に示すように片側の素材を外径４．５ｍｍφ、内径４ｍｍφ、肉厚０．３ｍｍのパイプＰとし、他方を３．５ｍｍφのステンレス線Ｆとし、パイプＰ内にステンレス線Ｆを差込み、その端にリブを形成し、パイプの端を絞って抜け止め構造にして、一定範囲（２００〜２６０ｍｍ）摺動可能にして長さを調節可能にしている。
【００１５】
上記実施形態のリングおよび支持枠などの材料をステンレス線・パイプを用いたが、銅、黄銅の線およびパイプを用いることができる。また、サイズは限定するものではなく、塗料缶の大きさに応じて適宜変更することができる。
【００１６】
上記の如く構成する濾布支持枠２０には、図３に示すように例えばナイロン繊維を、丸編機により編組織りして濾布２８とし、その開口部２９を折り返して補強した伸縮可能な袋形濾布２８を装着する。
【００１７】
上記濾布を装着するとき、リングの表面には多数の突起が形成されているので、伸縮可能な袋状濾布の開口部は、リングに絡み着き濾過すべき塗料を注入したとき、その重みで濾布がずれ落ちるようなことがない。
【００１８】
上記多数の突起は、上記リングを珪砂の如き粒状物を混入した塗料の中に浸漬して塗布乾燥することにより得られる。また、他の方法としてリングを形成する素材にローレットを掛けることもできる。
【００１９】
このようにして、塗料缶Ｋに支持枠２５を載置し塗料を注入して濾過する。なお、このとき塗料缶Ｋのサイズが異なるときは図４で説明したように支持枠２５をスライドさせて調節する。また、定形的な塗料缶では上記塗料濾過用具を裏返しすることにより幾つかのサイズのものに対応することができる。
【図面の簡単な説明】
【００２０】
【図１】大型濾布支持枠の斜視図
【図２】小型濾布支持枠の斜視図
【図３】小型濾布支持枠を塗料缶に適応した状態の説明図
【図４】支持枠伸縮構造説明図
【符号の説明】
【００２１】
１０，２０  濾布支持枠
１１，１２，２１，２２  リング
１３，２３  ステー
１４，２４  曲折部
１５，２５  支持枠
１６，２６  Ｕ字状曲折部
１７，２７  グリップ
１８，２８  濾布
１９，２９  開口部
Ａ  無数の突起
Ｆ  ステンレス線
Ｋ  塗料缶
Ｐ  パイプ
【図１】
2005053564.tif 000003
【図２】
2005053564.tif 000004
【図３】
2005053564.tif 000005
【図４】
2005053564.tif 000006